(57)【要約】【課題】簡単かつ効果的にコウモリを忌避することができるコウモリ忌避具を提供する。【解決手段】コウモリ忌避具１０は、マンションやアパートのコーナーの天井、又は、家屋の軒下等の設置対象物２０に取り付けられる第１磁石１１と、この第１磁石１１に磁力により着脱可能に取り付けられる第２磁石１２と、この第２磁石１２に取り付けられた糸状、紐状、又は、テープ状の複数の邪魔部材１３とを備えている。邪魔部材１３は、例えば、合成樹脂などの軽く薄い部材により構成することが好ましい。コウモリＭの飛来により発生する渦風により邪魔部材１３が揺れ動き、コウモリＭの飛翔を邪魔することができる。【選択図】図１
0003207279.tif 000002
【実用新案登録請求の範囲】
【請求項１】
設置対象物に取り付けられる第１磁石と、
この第１磁石に磁力により着脱可能に取り付けられ、前記第１磁石よりも磁力が弱い第２磁石と、
この第２磁石に取り付けられた糸状、紐状、又は、テープ状の複数の邪魔部材と
を備えたことを特徴とするコウモリ忌避具。
【請求項２】
棒状部材と、この棒状部材の一端部に取り付けられ、前記第１磁石よりも磁力が弱い第３磁石とを有し、この第３磁石に前記第２磁石を磁力により取り付けて、前記第２磁石を前記第１磁石に接着させたのち、前記第３磁石を前記第２磁石から取り外すことにより前記第２磁石を前記第１磁石に取り付ける補助部材を備えたことを特徴とする請求項１記載のコウモリ忌避具。
【考案の詳細な説明】
【技術分野】
【０００１】
本考案は、コウモリを忌避するコウモリ忌避具に関する。
【背景技術】
【０００２】
マンションやアパートのコーナーは、夜の間、害虫の休み場所となっているため、害虫を餌とするコウモリが飛来する。コウモリは、害虫を食べると共に、糞をするので、コーナーには多量の糞が集積してしまう。しかも、コウモリの糞は水分が多くて粘りが強く、通路などにへばり付いてしまい、ほうき等では簡単にとることができず、多大な迷惑となるという問題があった。このような問題は、一般家屋の軒下でも同様であった。更に、マンションやアパートでは、コウモリの飛来にセンサーが感知し、自動ドアが開いてしまうなどの問題もあった。特に、コウモリの飛来は、午前３時前後に多く、防犯上も好ましくない。
【先行技術文献】
【特許文献】
【０００３】
【特許文献１】特開２０１１−５０３６８号公報
【考案の概要】
【考案が解決しようとする課題】
【０００４】
本考案は、このような問題に基づきなされたものであり、簡単かつ効果的にコウモリを忌避することができるコウモリ忌避具を提供することを目的とする。
【０００５】
なお、特許文献１には、短い期間で超音波の周波数を変化させることにより、コウモリを忌避する動物忌避装置が記載されている。しかしながら、本願考案は、特許文献１とは構成が異なっており、簡易な構成で高い効果を得ることができる。
【課題を解決するための手段】
【０００６】
本考案のコウモリ忌避具は、設置対象物に取り付けられる第１磁石と、この第１磁石に磁力により着脱可能に取り付けられ、第１磁石よりも磁力が弱い第２磁石と、この第２磁石に取り付けられた糸状、紐状、又は、テープ状の複数の邪魔部材とを備えたものである。
【考案の効果】
【０００７】
本考案によれば、糸状、紐状、又は、テープ状の複数の邪魔部材を設けるようにしたので、コウモリが飛来すると、それにより発生する渦風により邪魔部材が揺れ動き、回転しながら虫を食べようとするコウモリに絡みついて、コウモリの飛翔を邪魔することができる。よって、コウモリが虫を食べて糞をする余裕がなくなり、コウモリを簡単かつ効果的に忌避することができる。従って、コウモリの糞が集積してしまうことを防止することができると共に、コウモリの飛来により自動ドアが誤動作してしまうことも防止することができる。
【０００８】
また、設置対象物に第１磁石を取り付け、この第１磁石に、邪魔部材を取り付けた第２磁石を着脱可能に取り付けるようにしたので、簡単に取り付け取り外しができる。よって、コウモリが飛来する８月から１０月頃の季節には、邪魔部材を取り付けた第２磁石を第１磁石に取り付けて機能させ、それ以外の季節には、第１磁石から第２第２磁石を簡単に取り外して用いることができる。
【０００９】
更に、棒状部材の一端部に第３磁石が取り付けられた補助部材を備えるようにすれば、第３磁石に第２磁石を磁力により取り付けて、第２磁石を第１磁石に接着させたのち、第３磁石を第２磁石から取り外すことにより第２磁石を第１磁石に簡単に取り付けることができる。
【図面の簡単な説明】
【００１０】
【図１】本考案の一実施の形態に係るコウモリ忌避具の構成を表す図である。
【考案を実施するための形態】
【００１１】
以下、本考案の実施の形態について、図面を参照して詳細に説明する。
【００１２】
図１（Ａ）は、本考案の一実施の形態に係るコウモリ忌避具１０の全体構成を表すものであり、図１（Ｂ）は使用状態を表すものである。このコウモリ忌避具１０は、例えば、マンションやアパートのコーナーの天井、又は、家屋の軒下等、コウモリＭの飛来を忌避したい場所に設置して用いられる。
【００１３】
このコウモリ忌避具１０は、マンションやアパートのコーナーの天井、又は、家屋の軒下等の設置対象物２０に取り付けられる第１磁石１１と、この第１磁石１１に磁力により着脱可能に取り付けられる第２磁石１２と、この第２磁石１２に取り付けられた糸状、紐状、又は、テープ状の複数の邪魔部材１３とを備えている。
【００１４】
第１磁石１１は、例えば、設置対象物２０に接着剤等により取り付けることができる。第１磁石１１は、大きさが小さく、磁力が強力な磁石により構成し、第２磁石１２は、大きさが小さく、磁力が第１磁石１１よりも弱い磁石により構成することが好ましい。第２磁石１２を磁力により第１磁石１１に安定して取り付けると共に、容易に取り外しができるようにするためである。
【００１５】
邪魔部材１３は、例えば、接着剤により第２磁石に取り付けられる。邪魔部材１３は、例えば、合成樹脂などの軽く薄い部材により構成することが好ましい。コウモリＭの飛来により発生する渦風により容易に揺れ動くからである。また、邪魔部材１３は、糸状とした方がコウモリＭに絡まりやすく、高い効果を得ることができるので好ましい。
【００１６】
邪魔部材１３の本数は、例えば、５本以上とすることが好ましく、１０本以上とすればより好ましい。本数が少なすぎると、コウモリＭを邪魔する効果が小さいからである。また、邪魔部材１３の本数は、５０本以下が好ましく、４０本以下であればより好ましい。本数が多すぎると、コウモリＭの飛来により揺れ動きにくくなってしまうからである。
【００１７】
邪魔部材１３の長さは、例えば、４５ｃｍ以上７５ｃｍ以下の範囲内とすることが好ましい。コウモリＭが虫を食べながら回転するのは半径５０ｃｍから７０ｃｍ程度であるので、この程度の範囲に広がって、コウモリＭの羽に接触するようにするためである。邪魔部材１３の長さは、すべて同じであってもよいが、異なっていてもよく、例えば、長さの異なる２種類のものを組み合わせて取り付けることが好ましい。風を受けて揺れ動きやすくすることができると共に、コウモリＭの回転位置に広く対応することができるからである。
【００１８】
また、このコウモリ忌避具１０は、棒状部材１４Ａと、この棒状部材１４Ａの一端部に取り付けられた第３磁石１４Ｂとを有する補助部材１４を備えていることが好ましい。この補助部材１４は、天井や軒下等の高いところに配設した第１磁石１１に対して、邪魔部材１３を取り付けた第２磁石１２を下から容易に取り付けることができるようにするためのものである。具体的には、第３磁石１４Ｂに第２磁石１２を磁力により取り付けて、棒状部材１４Ａにより第２磁石１２を上に持ち上げ、第２磁石１２を第１磁石１１に接着させたのち、第３磁石１４Ｂを第２磁石１２から取り外すことにより第２磁石１２を第１磁石１１に取り付けるものである。
【００１９】
第３磁石１４Ｂの磁力は、第１磁石１１よりも弱く構成することが好ましい。第２磁石１２を第１磁石１１に接着させたまま、第３磁石１４Ｂを第２磁石１２から容易に取り外すことができるからである。なお、第３磁石１４Ｂを布などで覆い、磁力を弱めるようにしてもよい。
【００２０】
補助部材１４は、また、第３磁石１４Ｂに対して着脱可能に取り付けられる第４磁石１４Ｃを有していてもよい。この第４磁石１４Ｃは、第３磁石１４Ｂに取り付けて、棒状部材１４Ａにより持ち上げ、第１磁石１１に取り付けた第２磁石１２に接着させて引っ張ることにより、第２磁石１２を第１磁石１１から取り外すためのものである。第４磁石１４Ｃの磁力は、第２磁石１２に接着させて第２磁石１２を第１磁石１１から取り外すことができる強さとすることが好ましい。例えば、第４磁石１４Ｃの磁力は、第３磁石１４Ｂよりも強く構成することが好ましく、第１磁石１１と同等以上の強さとすることが好ましい。
【００２１】
このコウモリ忌避具１０は、例えば、次のようにしてコウモリＭの飛来を忌避したい場所に設置して用いる。まず、例えば、マンションやアパートのコーナーの天井、又は、家屋の軒下等の設置対象物２０に第１磁石１１を取り付ける。次いで、補助部材１４の第３磁石１４Ｂに邪魔部材１３を取り付けた第２磁石１２を接着させ、棒状部材１４Ａにより上に持ち上げて、第２磁石１２を第１磁石１１に接着させたのち、第２磁石１２から第３磁石１４Ｂを取り外す。これにより、例えば、午前３時前後にコウモリＭが飛来すると、それにより発生する渦風により邪魔部材１３が揺れ動き、コウモリＭに絡みついて飛翔を邪魔する。
【００２２】
また、コウモリＭの飛来は８月から１０月頃に多いので、それ以外の季節は、邪魔部材１３を取り外しておくことができる。邪魔部材１３は、下から一部を持って引っ張ることにより取り外すことができ、また、第３磁石１４Ｂに第４磁石１４Ｃを取り付け、棒状部材１４Ａにより持ち上げて、第４磁石１４Ｃを第２磁石１２に接着させて、引っ張ることにより取り外すこともできる。第１磁石１１は、来季のためにそのまま設置対象物２０に取り付けておいてもよく、また、カッターナイフなどで取り外してもよい。なお、このコウモリ忌避具１０を３年間にわたり８月から１０月に取り付けたところ、糞の付着が全くなかった。すなわち、このコウモリ忌避具１０によれば、効果的にコウモリＭの飛来を忌避することができることが分かった。
【００２３】
このように本実施の形態によれば、複数のテープ状又は紐状の邪魔部材１３を設けるようにしたので、コウモリＭが飛来すると、それにより発生する渦風により邪魔部材１３が揺れ動き、回転しながら虫を食べようとするコウモリＭに絡みついて、コウモリＭの飛翔を邪魔することができる。よって、コウモリＭが虫を食べて糞をする余裕がなくなり、コウモリＭを簡単かつ効果的に忌避することができる。従って、コウモリＭの糞が集積してしまうことを防止することができると共に、コウモリＭの飛来により自動ドアが誤動作してしまうことも防止することができる。
【００２４】
また、設置対象物２０に第１磁石１１を取り付け、この第１磁石１１に、邪魔部材１３を取り付けた第２磁石１２を着脱可能に取り付けるようにしたので、簡単に取り付け取り外しができる。よって、コウモリＭが飛来する８月から１０月頃の季節には、邪魔部材１３を取り付けた第２磁石１２を第１磁石１１に取り付けて機能させ、それ以外の季節には、第１磁石１１から第２磁石１２を簡単に取り外して用いることができる。
【００２５】
更に、棒状部材１４Ａの一端部に第３磁石１４Ｂが取り付けられた補助部材１４を備えるようにすれば、第３磁石１４Ｂに第２磁石１２を磁力により取り付けて、第２磁石１２を第１磁石１１に接着させたのち、第３磁石１４Ｂを第２磁石１２から取り外すことにより第２磁石１２を第１磁石１１に簡単に取り付けることができる。
【００２６】
以上、各実施の形態を挙げて本考案を説明したが、本考案は上記各実施の形態に限定されるものではなく、種々変形可能である。例えば、上記各実施の形態では、各構成要素について具体的に説明したが、全ての構成要素を備えていなくてもよく、また、他の構成要素を備えていてもよい。
【符号の説明】
【００２７】
１０…コウモリ忌避具、１１…第１磁石、１２…第２磁石、１３…邪魔部材、１４…補助部材、１４Ａ…棒状部材、１４Ｂ…第３磁石、１４Ｃ…第４磁石
【図１】
0003207279.tif 000003